(57)【特許請求の範囲】
【請求項１】
記録内容に関連した情報が記録されている記録媒体を収納するための棚を複数個有する収納部と、
上記記録媒体を駆動する第１のドライブ部と、
上記収納部と上記第１のドライブ部との間で上記記録媒体を搬送するキャリッジと、
上記収納部の棚の番号と当該棚に収納される上記記録媒体に記録されている上記記録内容に関連した情報とを対応させて記憶する記憶媒体と、
上記第１のドライブ部に装着されて第２の記録媒体より再生された記録内容が記録された第１の記録媒体を、上記キャリッジで搬送して上記収納部の所定の棚に収納するように制御する収納制御手段と、
上記所定の棚に収納される上記第１の記録媒体の記録内容に関連した情報と上記所定の棚の棚番号とを対応させて上記記憶媒体に記憶する記憶制御手段と、
上記第１のドライブ部に装着された上記第１の記録媒体に上記第２の記録媒体より再生された記録内容を記録する際に、当該第１の記録媒体にその記録内容に関連した情報を記録するように制御する記録制御手段とを備え、
上記第１の記録媒体に、既に第１のアルバムタイトルおよびアーティスト名に係る曲が記録されており、当該曲に追加して上記第２の記録媒体より再生される第２のアルバムタイトルおよびアーティスト名に係る曲を記録するとき、
上記記録制御手段は、上記第１の記録媒体の曲名データ領域に、上記第２のアルバムタイトルおよびアーティスト名を曲名と同時に記録する
ことを特徴とするチェンジャー装置。
【請求項２】
上記アルバムタイトルおよびアーティスト名を、上記曲名と区別可能に記録する
ことを特徴とする請求項１に記載のチェンジャー装置。
【発明の詳細な説明】
【０００１】
【発明の属する技術分野】
この発明は、例えばＭＤ（ミニディスク）等の記録内容に関連した情報が記録されている記録媒体を取り扱うチェンジャー装置に関する。詳しくは、第２の記録媒体より再生された記録内容が記録された第１の記録媒体を収納部の所定の棚に収納する際に、この所定の棚の棚番号と第１の記録媒体の記録内容に関連した情報とを対応させて記憶媒体に自動的に記憶することによって、収納されたダビング後の記録媒体の検索が容易となるようにしたチェンジャー装置に係るものである。
【０００２】
【従来の技術】
複数枚のＣＤ（コンパクトディスク）を収納して、所望のディスクを再生可能にするＣＤチェンジャー装置が一般に広く知られている。このＣＤチェンジャー装置には、平置きタイプのものと積層タイプのものとがある。積層タイプのものは、平置きタイプのものに比べてＣＤの収納枚数を多くできる。
【０００３】
【発明が解決しようとする課題】
上述したＣＤチェンジャー装置においては、収納されるＣＤの枚数が多くなると、どの番号の棚にどのＣＤを収納したか分からなくなってしまう。従来この問題の解決策として、ＣＤジャケットを収納できるアルバムタイプのジャケット収納帳をＣＤチェンジャーに添付することが行われている。
【０００４】
ユーザは、ＣＤチェンジャー装置にＣＤを収納するたびに、収納した棚の棚番号に対応する収納帳の収納位置にＣＤジャケットを収納していく。これにより、ユーザは、ジャケット収納帳の頁を捲ることによって、所望のＣＤが収納されている棚番号を知ることができる。しかしこれでは、ＣＤの収納に伴って収納帳の所定の収納位置にＣＤジャケットを収納する作業が必要となる他に、所望のＣＤを探すことが面倒であると共に時間がかかるという不都合があった。
【０００５】
近年、新たな記録媒体としてＭＤが市場に広く出回るようになってきた。ＭＤはＣＤに比べて小型であり、ディスクがケースに収納されているため、取り扱いが非常に楽である。したがって、上述したＣＤチェンジャー装置と同様に、積層タイプのＭＤチェンジャー装置が、今後一般に利用される可能性が高い。
【０００６】
しかし、ＣＤチェンジャー装置のように、ＭＤを収納するたびにアルバムタイプのジャケット収納帳の所定の収納位置にＭＤジャケットを収納していき、このジャケット収納帳に基づいて所望のＭＤを探すものとすれば、ＣＤチェンジャー装置と同様の不都合を有することになる。
【０００７】
また、ＭＤは、現在、ダビングに使用されることが非常に多く、記録した曲名等を表示させるために、１曲ずつ手作業でテキストデータを入力していかなければならず、非常に面倒であった。
【０００８】
この発明は、ダビング時に記録内容に関連した情報の記録操作が不要となり、またダビング後の記録媒体の収納部への収納作業が容易となると共に収納されたダビング後の記録媒体の検索が容易となるチェンジャー装置を提供することを目的とする。
【０００９】
【課題を解決するための手段】
この発明に係るチェンジャー装置は、記録内容に関連した情報が記録されている記録媒体を収納するための棚を複数個有する収納部と、記録媒体を駆動する第１のドライブ部と、収納部と第１のドライブ部との間で記録媒体を搬送するキャリッジと、収納部の棚の番号と当該棚に収納される記録媒体に記録されている記録内容に関連した情報とを対応させて記憶する記憶媒体と、第１のドライブ部に装着されて第２の記録媒体より再生された記録内容が記録された第１の記録媒体をキャリッジで搬送して収納部の所定の棚に収納するように制御する収納制御手段と、上記所定の棚に収納される第１の記録媒体の記録内容に関連した情報と所定の棚の棚番号とを対応させて記憶媒体に記憶する記憶制御手段と、第１のドライブ部に装着された第１の記録媒体に第２の記録媒体より再生された記録内容を記録する際に、当該第１の記録媒体にその記録内容に関連した情報を記録するように制御する記録制御手段とを備え、第１の記録媒体に、既に第１のアルバムタイトルおよびアーティスト名に係る曲が記録されており、当該曲に追加して第２の記録媒体より再生される第２のアルバムタイトルおよびアーティスト名に係る曲を記録するとき、記録制御手段は、第１の記録媒体の曲名データ領域に、第２のアルバムタイトルおよびアーティスト名を曲名と同時に記録するものである。
【００１０】
この発明において、第１のドライブ部に装着された第１の記録媒体に、第２の記録媒体より再生された記録内容が記録され、いわゆるダビングが行われる。この場合、第１のドライブ部の他に、第２の記録媒体を装着しこの第２の記録媒体より再生信号を得る第２のドライブ部を備えていてもよい。このダビング時に、第１の記録媒体に、第２の記録媒体より再生された記録内容に関連した情報、例えばディスクタイトルおよびアーティスト名、曲名、各曲の開始・終了のアドレス等が、自動的に記録される。これにより、ユーザは、ダビング時に、曲名等を入力する操作が不要となる。
【００１１】
また、ダビング終了後に、第１のドライブ部に装着された第１の記録媒体が収納部の所定の棚に収納されるとき、棚番号と第１の記録媒体の記録内容に関連した情報とが対応されて記憶媒体に記憶される。この記憶媒体に記憶された情報に基づいて、一覧表示や項目を絞った検索を行うことが可能となり、所望の記録媒体を容易に検索できるようになり、またジャケット収納帳にジャケットを収納する等の作業も不要となる。
【００１２】
【発明の実施の形態】
以下、図面を参照しながら、この発明の実施の形態について説明する。図１は、実施の形態としてのＭＤチェンジャー装置１０の構成を示している。
このＭＤチェンジャー装置１０は、大きく分けると、装置本体を構成するドライブ部１００，１００Ａおよびチェンジャー部２００と、リモコン装置３００とからなっている。チェンジャー部２００は、ＭＤ１０１を収納するための棚（Rack）２１０Ａを複数個有する収納部２１０と、この収納部２１０とドライブ部１００との間でＭＤ１０１を搬送するキャリッジ２２０とを有している。
【００１３】
ドライブ部１００は、ＭＤ１０１に対してデータの記録再生を行う部分である。このドライブ部１００は、マイクロコンピュータを有して構成され、全体の動作を制御するためのシステムコントローラ（以下、「シスコン」という）１０２を有している。このシスコン１０２には、ユーザが種々の操作を行うための操作部１０３と、後述するリモートコントロール装置（以下、「リモコン装置」という）３００との間で、赤外線信号の送受信を行うための赤外線信号送受信部１０４とが接続されている。上述したチェンジャー部２００の動作も、このシスコン１０２により制御される。
【００１４】
また、ドライブ部１００は、ＭＤ１０１を回転駆動するためのスピンドルモータ１０５と、外部磁界発生用の磁気ヘッド１０６と、この磁気ヘッド１０６の磁界発生を制御するヘッド駆動回路１０７と、半導体レーザ、対物レンズ、光検出器等から構成される光ピックアップ１０８と、この光ピックアップ１０８を径方向に移動するための送りモータ１０９とを有している。磁気ヘッド１０６と光ピックアップ１０８は、ＭＤ１０１を挟むように対向して配設されている。
【００１５】
また、ドライブ部１００は、光ピックアップ１０８を構成する複数の光検出器（図示せず）の出力信号が供給され、フォーカスエラー信号ＳFE、トラッキングエラー信号ＳTE、再生ＲＦ信号ＳRFを生成し、さらにＭＤ１０１が録再用のものである場合にはその案内溝（図示せず）の蛇行に対応したＦＭ信号ＳFMを生成するＲＦアンプ部１１１と、エラー信号ＳFE、ＳTEに基づいて光ピックアップ１０８のフォーカスサーボやトラッキングサーボを行うと共に、シスコン１０２の制御の下に送りモータ１０９による光ピックアップ１０８の送りや、スピンドルモータ１０５の回転を制御するサーボ回路１１２とを有している。
【００１６】
また、ドライブ部１００は、ＲＦアンプ部１１１で生成された上述のＦＭ信号ＳFMを復調してアドレスデータＡＤを得るアドレスデコーダ１１３を有している。このアドレスデータＡＤは、後述するＥＦＭ（Eight to fourteen Modulation）とＡＣＩＲＣ（Advanced Cross Interleave Reed-Solomon Code）のエンコーダ／デコーダを介してシスコン１０２に供給される。これにより、ＭＤ１０１が録再用であって、未記録状態にあっても、全周よりアドレスデータを得ることができ、安定した高速ランダムアクセスが可能となる。
【００１７】
なお、このアドレスデータは、メインチャネルのセクタヘッダやサブコードＱにも記録される。したがって、ＭＤ１０１が録再用のものであって、記録状態にあるもの、あるいはＭＤ１０１が再生専用のものである場合には、セクタヘッダやサブコードＱよりアドレスデータを得ることができる。
【００１８】
また、ドライブ部１００は、記録オーディオ信号ＳＡinを入力する入力端子１２１と、この入力端子１２１に入力されるアナログの記録オーディオ信号ＳＡinをディジタル信号に変換するＡ／Ｄコンバータ１２２と、再生時に音声圧縮エンコーダ／デコーダ１２３で伸長復号化されて得られるディジタルオーディオ信号をアナログ信号に変換して再生オーディオ信号ＳＡoutを得るＤ／Ａコンバータ１２７と、このＤ／Ａコンバータ１２７より出力される再生オーディオ信号ＳＡoutを出力する出力端子１２８とを有している。
【００１９】
また、ドライブ部１００は、記録時にＡ／Ｄコンバータ１２２より出力されるオーディオ信号に対してＡＴＲＡＣ（Adaptive TRansform Acoustic Coding）方式の音声圧縮符号化を行うと共に、再生時にＤＲＡＭ（Dynamic Random Access Memory）１２５より耐振用メモリコントローラ１２４の制御で読み出される圧縮符号化データに対して伸長復号化処理をする音声圧縮エンコーダ／デコーダ１２３を有している。記録時にこのエンコーダ／デコーダ１２３より出力される圧縮符号化データは、メモリコントローラ１２４を介してＤＲＡＭ１２５に一時的に格納される。
【００２０】
また、ドライブ部１００は、記録時にＤＲＡＭ１２５よりメモリコントローラ１２４の制御で読み出される圧縮符号化データに対して、誤り訂正のためのエンコード処理や変調処理を行って記録オーディオデータを得ると共に、再生時にＲＦアンプ部１１１より供給される再生ＲＦ信号ＳRFに対して復調処理や誤り訂正処理を行うＥＦＭとＡＣＩＲＣのエンコーダ／デコーダ１２６を有している。再生時にこのエンコーダ／デコーダ１２６より出力される圧縮符号化データは、メモリコントローラ１２４を介してＤＲＡＭ１２５に一時的に格納される。
【００２１】
また、ドライブ部１００は、ハードディスク（ＨＤ）に対してデータの記録再生を行うハードディスクドライブ（ＨＤＤ）１３１を有している。このハードディスクドライブ１３１は、ハードディスクコントローラ（ＨＤコントローラ）１３２を介してシスコン１０２に接続されている。
【００２２】
ドライブ部１００Ａは、例えばＭＤ１０１の再生専用のドライブ部である。詳細説明は省略するが、このドライブ部１００Ａは、上述したドライブ部１００より記録系の構成を除いた構成とされる。ドライブ部１００Ａの動作は、ドライブ部１００のシスコン１０２によって制御される。ダビング時には、ドライブ部１００Ａでマスター側のＭＤ１０１より再生された記録内容が、ドライブ部１００に供給されてスレーブ側のＭＤ１０１に記録される。
【００２３】
図２Ａ，Ｂ、図３Ａ，Ｂおよび図４は、上述したＭＤチェンジャー装置１０の外観を示している。図２Ａは正面図、図２Ｂは平面図、図３Ａは背面図、図３Ｂは左側面図、図４は一部の拡大図である。なお、右側面図は、図３Ｂに示す左側面図に対して対称に現れる。
【００２４】
このＭＤチェンジャー装置１０は、全体として縦長の直方体状の本体部分２０と、この本体部分２０を支持する円盤状の基底部分３０と、本体部分２０の左右に設けられ、それぞれ中音域および低音域を再生するスピーカが配置されたスピーカ配置部分４０Ｌ，４０Ｒと、本体部分２０の上に設けられ、左右の高音域再生用のスピーカが配置された球状のスピーカ配置部分５０とからなっている。
【００２５】
本体部分２０には、その上部にドライブ部１００，１００Ａが配設され、その中部および下部にチェンジャー部２００が配設されている。チェンジャー部２００の配設位置に対応して正面に透明な窓部２１が設けられており、収納部２１０の棚２１０Ａに収納されるＭＤや、キャリッジ２２０の動きを外部より観察できるようになっている。
【００２６】
また、ドライブ部１００の配設位置に対応して正面に操作部１０３およびＭＤ挿入口２２，２２Ａが形成されている。ＭＤ挿入口２２は、ドライブ部１００にＭＤ１０１を挿入するための挿入口である。一方、ＭＤ挿入口２２Ａは、ドライブ部１００ＡにＭＤ１０１を挿入するための挿入口である。操作部１０３には、図４に示すように、電源のオンオフ操作をする「power」キー、ポーズ操作をする「pause」キー、ストップ操作をする「stop」キー、プレイ操作をする「play」キー、イジェクト操作をする「eject」キーが設けられている。
【００２７】
図１に戻って、リモコン装置３００は、ドライブ部１００の赤外線信号送受信部１０４との間で赤外線信号の送受信を行うための赤外線信号送受信部３０１と、液晶表示素子（ＬＣＤ：liquid crystal display）等のディスプレイを備えてなる表示部３０２と、ユーザが種々の操作を行うための操作部３０３とを有して構成されている。
【００２８】
図５Ａ，Ｂ，Ｃは、上述したリモコン装置３００の外観を示している。図５Ａは正面図、図５Ｂは右側面図である。リモコン装置３００は、赤外線信号送受信部３０１や操作部３０３が配設される本体部分３１０と表示部３０２とからなっている。本体部分３１０は第１、第２の部分３１０ａ，３１０ｂを有して構成されており（図５Ｂ参照）、これら第１、第２の部分３１０ａ，３１０ｂがヒンジ構造によって開閉自在とされている。図５Ａは第１、第２の部分３１０ａ，３１０ｂが閉じた状態を示し、図５Ｃは第１、第２の部分３１０ａ，３１０ｂが開いた状態を示している。
【００２９】
第１、第２の部分３１０ａ，３１０ｂが開いた状態では、操作部３０３を構成する各種キー等が露呈される。第２の部分３１０ｂには、電源のオンオフ操作をする「power」キー、ポーズ操作をする「pause」キー、ストップ操作をする「stop」キー、再生操作をする「play」キー、録音操作をする「rec」キー、スキップ操作を行うための「skip/search」キー、ダビング操作をする「dubbing」キーが配されている。
【００３０】
また、この第２の部分３１０ｂには、グラフィックイコライザ（ロック、ポップ、クラシック、ジャズ）等のサウンドモードの切換操作を行うための「sound mode」キー、１曲リピート、全曲リピート、ランダム等のプレイモードの切換操作を行うための「play mode」キー、ＴＯＣ表示、残時間表示、トータル時間表示を操作する「display」キー、検索実行キーとしての「search」キー、ＭＤ１０１の収納操作を行うためのための「store」キー、ＭＤ１０１のイジェクト操作を行うための「eject」キーが配されている。
【００３１】
第１の部分３１０ａには、音量を調整するための「volume」ダイヤル、上下左右のカーソルキー、決定操作を行うための「enter」キーが配されている。また、この第１の部分３１０ａには、検索時等に項目を選択するキーが配されている。「disc」キーは項目としてアルバムタイトル（ディスクタイトル）を選択するキーであり、「title」キーは項目として曲名を選択するキーであり、「name」キーは項目としてアーティスト名を選択するキーであり、「number」キーは項目として棚番号を選択するキーであり、「date」キーは項目として記録日時を選択するキーであり、「letter」キーは項目として日本語版か英語版かの区別を選択するキーである。さらに、この第１の部分３１０ａには、ある状態からその前の状態に戻すための「back」キー、一覧表示を行うための「list」キーも配されている。
【００３２】
次に、図１に示すＭＤチェンジャー装置１０の動作を説明する。ユーザがリモコン装置３００の操作部３０３を操作し、収納部２１０の所定の棚２１０Ａの棚番号を指定した場合、リモコン装置３００よりその棚番号の指定情報が赤外線信号を使用してシスコン１０２に供給される。そして、シスコン１０２によりチェンジャー部２００が制御され、指定された棚番号の棚２１０Ａに収納されているＭＤ１０１がキャリッジ２２０によりドライブ部１００に移動される。このようにドライブ部１００に移動されたＭＤ１０１が録再用のものであるときは、このＭＤ１０１にオーディオデータの記録が可能となる。
【００３３】
記録時の動作を説明する。入力端子１２１に入力される記録オーディオ信号ＳＡinはＡ／Ｄコンバータ１２２でディジタル信号に変換されて音声圧縮のエンコーダ／デコーダ１２３に供給され、ＡＴＲＡＣ方式の音声圧縮符号化が行われる。そして、このエンコーダ／デコーダ１２３より出力される圧縮符号化データはメモリコントローラ１２４を介してＤＲＡＭ１２５に一時的に格納される。
【００３４】
このＤＲＡＭ１２５に格納された圧縮符号化データはメモリコントローラ１２４の制御によって順次読み出され、メモリコントローラ１２４を介してＥＦＭとＡＣＩＲＣのエンコーダ／デコーダ１２６に供給され、誤り訂正処理のためのエンコード処理が行われると共に、変調処理が行われる。
【００３５】
エンコーダ／デコーダ１２６より出力される記録オーディオデータはヘッド駆動回路１０７に供給される。これにより、磁気ヘッド１０６の出力磁界が記録オーディオデータによって変調され、光ピックアップ１０８からのレーザ光との共働によって、記録オーディオデータがＭＤ１０１に記録される。
【００３６】
また、上述したようにドライブ部１００に移動されたＭＤ１０１が録再用のものであるか、あるいは再生専用のものであるときは、このＭＤ１０１よりオーディオデータの再生が可能となる。
【００３７】
再生時の動作を説明をする。ＲＦアンプ部１１１より出力される再生ＲＦ信号はエンコーダ／デコーダ１２６に供給され、復調処理が行われると共に、誤り訂正処理が行われる。このエンコーダ／デコーダ１２６で誤り訂正された圧縮符号化データはメモリコントローラ１２４を介してＤＲＡＭ１２５に一時的に格納される。このＤＲＡＭ１２５に格納された圧縮符号化データはメモリコントローラ１２４を介してエンコーダ／デコーダ１２３に供給されて伸長復号化処理が行われる。そして、エンコーダ／デコーダ１２３より出力される線形なディジタルオーディオデータがＤ／Ａコンバータ１２７に供給されてアナログ信号に変換され、出力端子１２８に再生オーディオ信号ＳＡoutが導出される。
【００３８】
次に、ＭＤ１０１を、収納部２１０の所定の棚２１０Ａに収納するローディング時の動作を説明する。シスコン１０２は、ＭＤ挿入口２２（図２Ａ参照）にＭＤ１０１が挿入されると、図６のフローチャートに示す処理を開始する。
【００３９】
ステップＳＴ１で、ＭＤ１０１のＴＯＣ領域（再生専用）、あるいはＵＴＯＣ領域（録再用）に記録されている記録内容に関連した情報（ディスク内情報）を読み取り、内蔵のＲＡＭ１０２ａに一時的に記憶する。ここで、記録内容に関連した情報としては、アルバムタイトル＆アーティスト名、曲名、録音日時がある。
【００４０】
そして、ステップＳＴ２で、「store」キーの押し下げがあるか否かを判定し、さらにステップＳＴ３で、「eject」キーの押し下げがあるか否かを判定する。「eject」キーの押し下げがあるときは、ステップＳＴ４に進んで、上述したようにＭＤ挿入口２２に挿入されたＭＤ１０１を、このＭＤ挿入口２２より外部に排出し、処理を終了する。このように、ＭＤ挿入口２２にＭＤ１０１を挿入した後でも、「eject」キーの押し下げを行うことで、当該ＭＤ１０１の収納部２１０への収納を中止することができる。
【００４１】
一方、「store」キーの押し下げがあるときは、ステップＳＴ５に進む。このステップＳＴ５では、収納する棚を指定するための画面をリモコン装置３００の表示部３０２に表示する。この場合、シスコン１０２はリモコン装置３００に表示情報を赤外線信号で送信し、例えば収納部２１０の空いている棚２１０Ａのうち番号が最も若い棚番号を表示する。
【００４２】
そして、ステップＳＴ６で、カーソルキーの押し下げによる棚番号の変更操作があるか否かを判定し、ステップＳＴ７で、「enter」キーの押し下げがあるか否かを判定する。棚番号の変更操作があるときは、ステップＳＴ８に進んで、別の空いている棚２１０Ａの棚番号に変更する。このとき、リモコン装置３００の表示部３０２に表示される棚番号が変更される。なお、表示部３０２に収納部２１０の空いている棚２１０Ａの全ての番号を表示し、ユーザがカーソル位置を変更して任意の棚番号を選択し得るようにしてもよい。
【００４３】
一方、「enter」キーの押し下げがあるときは、ステップＳＴ９で、ステップＳＴ１でＭＤ挿入口２２より挿入されたＭＤ１０１より読み出してＲＡＭ１０２ａに記憶していたディスク内情報を、「enter」キーの押し下げ時に表示部３０２に表示されていた棚番号（以下、「指定棚番号」という）と対応させてハードディスクに記憶する。そして、ステップＳＴ１０で、ＭＤ挿入口２２より挿入されたＭＤ１０１を収納部２１０の指定棚番号の棚２１０Ａに収納して、処理を終了する。この場合、ＭＤ挿入口２２より挿入されてドライブ部１００に装着されていたＭＤ１０１は、キャリッジ２２０により指定棚番号の棚２１０Ａに移動されて収納される。
【００４４】
このように収納部２１０の所定の棚２１０ＡにＭＤ１０１が収納される毎に、その棚２１０Ａの番号とその棚２１０Ａに収納されるＭＤ１０１より読み出されたディスク内情報とが対応してハードディスクに記憶される。図７は、ハードディスクの記憶例を示している。なお、収納部２１０の所定の棚２１０Ａに収納されるＭＤ１０１が録再用のものであるときは、上述したディスク内情報の一部または全部がないこともある。
【００４５】
次に、検索時の動作を説明する。シスコン１０２は、リモコン装置３００の操作部３０３にある「search」キーの押し下げがあると、図８〜図１０のフローチャートに示す処理を開始する。
【００４６】
ステップＳＴ２１で、リモコン装置３００の表示部３０２に、図示せずも検索項目の選択画面を表示する。この場合、シスコン１０２はリモコン装置３００に表示情報を赤外線信号で送信し、「disc」、「title」、「name」、「number」、「date」、「letter」のいずれかの項目の選択を促す表示をする。そして、ステップＳＴ２２で、項目キーの押し下げがあるか否かを判定する。項目キーの押し下げがあるときは、ステップＳＴ２３に進んで、「letter」キーの押し下げがあるか否かを判定する。
【００４７】
「letter」キーの押し下げあるときは、ステップＳＴ２４に進む。このステップＳＴ２４では、リモコン装置３００の表示部３０２に、日本語版、英語版の選択画面を表示する。この場合、初期設定は例えば日本語版となっている。そして、ステップＳＴ２５で、カーソルキーの押し下げによる版の変更操作があるか否かを判定し、ステップＳＴ２６で、「search」キーの押し下げがあるか否かを判定する。版の変更操作があるときは、ステップＳＴ２７に進んで、日本語版、英語版を切り替える。
【００４８】
一方、「search」キーの押し下げがあるときは、ステップＳＴ１９に進み、ハードディスクに記憶された情報に基づいて、最終的に選択された版のＭＤ１０１を検索する。ここで、ディスク内情報としてのアルバムタイトル＆アーティスト名、曲名のいずれにもカナがないときは英語版であると判断し、それ以外は日本語版であると判断する。
【００４９】
また、ステップＳＴ２３で「letter」キーの押し下げでないとき、つまり「disc」、「title」、「name」、「number」、「date」のいずれかのキーの押し下げであるときは、ステップＳＴ２０で、リモコン装置３００の表示部３０２に、カーソル位置に対応して文字を入力する文字入力画面を表示した後、ステップＳＴ２８で、「letter」キーの押し下げがあるか否かを判定し、ステップＳＴ２９で、カーソルキーの押し下げによる文字変更操作があるか否かを判定し、ステップＳＴ３０で、「enter」キーの押し下げがあるか否かを判定し、ステップＳＴ３１で、「back」キーの押し下げがあるか否かを判定し、さらにステップＳＴ３２で、「search」キーの押し下げがあるか否かを判定する。
【００５０】
「letter」キーの押し下げがあるときは、ステップＳＴ３３に進んで、入力モードをカナ入力モードから英数字入力モード、あるいはその逆に変更する。カーソルキーの押し下げによる文字変更操作があるときは、ステップＳＴ３４に進んで、文字を変更する。「enter」キーの押し下げがあるときは、ステップＳＴ３５に進んで、カーソル位置の文字を確定する。「back」キーの押し下げがあるときは、ステップＳＴ３６に進んで、既に確定している文字のうち最新の１文字を削除する。削除する文字がないときは、この処理は無効となる。さらに、「search」キーの押し下げがあるときは、ステップＳＴ１９に進んで、ハードディスクに記憶された情報を参照し、最終的に確定した文字列を使用した検索をする。
【００５１】
この場合、検索項目が「disc」である場合、アルバムタイトルに確定文字列を含んでいるＭＤ１０１は結果リストに含まれる。また、検索項目が「title」である場合、曲名に確定文字列を含んでいるＭＤ１０１は結果リストに含まれる。また、検索項目が「name」である場合、アーティスト名に確定文字列を含んでいるＭＤ１０１は結果リストに含まれる。また、検索項目が「number」である場合、確定文字列（数列）の棚番号の棚２１０Ａに収納されたＭＤ１０１は結果リストに含まれる。さらに、検索項目が「date」である場合、録音日時に確定文字列を含んでいるＭＤ１０１は結果リストに含まれる。
【００５２】
ステップＳＴ１９で検索を行った後に、ステップＳＴ４１に進む。このステップＳＴ４１では、リモコン装置３００の表示部３０２に、結果リストを表示する。この場合、シスコン１０２はリモコン装置３００に表示情報を赤外線信号で送信する。
【００５３】
図１１Ａは、検索項目が「disc」であった場合における結果リストの表示例を示している。この場合、ディスクタイトル（DISC）と、そのディスクタイトルを持つＭＤ１０１が収納された棚２１０Ａの棚番号（RACK No.)とが対応づけて表示される。なお、ユーザが所望のディスクタイトルを選択するためのカーソルＣＳも同時に表示される。カーソルＣＳの存在位置は反転表示されるが、これは以下に述べる他のカーソル表示においても同様である。
【００５４】
図１１Ｂは、検索項目が「title」であった場合における結果リストの表示例を示している。この場合、曲名(TITLE)と、その曲名を持つＭＤ１０１が収納された棚２１０Ａの棚番号と、その曲名を持つＭＤ１０１のディスクタイトルとが対応づけて表示される。なお、ユーザが所望の曲名を選択するためのカーソルＣＳも同時に表示される。
【００５５】
図１１Ｃは、検索項目が「name」であった場合における結果リストの表示例を示している。この場合、アーティスト名(NAME)と、そのアーティスト名を持つＭＤ１０１が収納された棚２１０Ａの棚番号と、そのアーティスト名を持つＭＤ１０１のディスクタイトルとが対応づけて表示される。なお、ユーザが所望のアーティスト名を選択するためのカーソルＣＳも同時に表示される。
【００５６】
図１１Ｄは、検索項目が「number」であった場合における結果リストの表示例を示している。この場合、棚番号と、その棚番号の棚２１０Ａに収納されたＭＤのディスクタイトルとが対応づけて表示される。
【００５７】
図１１Ｅは、検索項目が「date」であった場合における結果リストの表示例を示している。この場合、録音日時(DATE)と、その録音日時を持つＭＤ１０１が収納された棚２１０Ａの棚番号と、その録音日時を持つＭＤ１０１のディスクタイトルとが対応づけて表示される。なお、ユーザが所望の録音日時を選択するためのカーソルＣＳも同時に表示される。
【００５８】
図１１Ｆは、検索項目が「letter」であった場合における結果リストの表示例を示している。この場合、選択された版(LETTER)の表示と、その版のＭＤ１０１が収納された棚２１０Ａの棚番号と、その版のＭＤ１０１のディスクタイトルとが対応づけて表示される。なお、ユーザが所望のＭＤ１０１を選択するためのカーソルＣＳも同時に表示される。
【００５９】
ステップＳＴ４１で上述したように結果リストを表示した後、ステップＳＴ４２で、カーソルキーの押し下げによる選択変更操作があるか否かを判定し、ステップＳＴ４３で、「enter」キーの押し下げがあるか否かを判定し、ステップＳＴ４４で、「search」キーの押し下げがあるか否かを判定する。カーソルキーの押し下げによる選択変更操作があるときは、ステップＳＴ４５で、選択位置を変更する。「search」キーの押し下げがあるときは、直ちに処理を終了する。
【００６０】
一方、「enter」キーの押し下げがあるときは、カーソル位置に対応したＭＤ１０１が選択された状態となり、ステップＳＴ４５Ａに進む。このステップＳＴ４５Ａでは、リモコン装置３００の表示部３０２に、図１２に示すように、選択されたＭＤ１０１の情報を表示する。この場合、シスコン１０２よりリモコン装置３００に表示情報を赤外線信号で送信し、選択されたＭＤ１０１の情報として、棚番号、ディスクタイトル、アーティスト名、曲名などが表示される。
【００６１】
そして、ステップＳＴ４６で、「back」キーの押し下げがあるか否かを判定し、ステップＳＴ４７で、「title」キーの押し下げがあるか否かを判定し、ステップＳＴ４８で、「play」キーの押し下げがあるか否かを判定し、ステップＳＴ４９で、「search」キーの押し下げがあるか否かを判定する。
【００６２】
「back」キーの押し下げがあるときは、ステップＳＴ４１に戻る。つまり、ユーザは、「back」キーを押し下げることで、結果リストの表示より、所望のＭＤ１０１を選択し得る状態に戻すことができる。「search」キーの押し下げがあるときは、直ちに処理を終了する。「play」キーの押し下げがあるときは、ステップＳＴ５０に進んで、上述したように選択されたＭＤ１０１を１曲目から再生する。この場合、選択されたＭＤ１０１が収納部２１０の所定の棚２１０Ａに収納されているときは、このＭＤ１０１をキャリッジ２２０によってドライブ部１００に移動した後に、再生が行われることとなる。
【００６３】
また、「title」キーの押し下げがあるときは、ステップＳＴ５１に進む。このステップＳＴ５１では、リモコン装置３００の表示部３０２に、図１３に示すように、上述したように選択されたＭＤ１０１に含まれる曲名のリストを表示する。この場合、ユーザが所望の曲名を選択するためのカーソルＣＳも同時に表示される。
【００６４】
そして、ステップＳＴ５２で、カーソルキーの押し下げによる選択変更操作があるか否かを判定し、ステップＳＴ５３で、「play」キーの押し下げがあるか否かを判定し、ステップＳＴ５４で、「search」キーの押し下げがあるか否かを判定する。カーソルキーの押し下げによる選択変更操作があるときは、ステップＳＴ５５で、選択位置を変更する。「search」キーの押し下げがあるときは、直ちに処理を終了する。一方、「play」キーの押し下げがあるときは、ステップＳＴ５６に進んで、上述したように選択されたＭＤ１０１に含まれ、カーソル位置に対応した曲（選択曲）を再生する。この場合、選択されたＭＤ１０１が収納部２１０の所定の棚２１０Ａに収納されているときは、このＭＤ１０１をキャリッジ２２０によってドライブ部１００に移動した後に、再生が行われることとなる。
【００６５】
次に、一覧表示の動作を説明する。シスコン１０２は、リモコン装置３００の操作部３０３にある「list」キーの押し下げがあると、図１４、図１５のフローチャートに示す処理を開始する。
【００６６】
ステップＳＴ６１で、ハードディスクに記憶された情報を参照して、収納部２１０の棚２１０Ａに収納されたＭＤ１０１を、棚番号順に表示する。この棚番号順の表示は、後述する並べ替え項目が「number」であった場合と同様に表示される。図１６Ｄは、並べ替え項目が「number」であった場合における一覧表示例を示している。この場合、ＭＤ１０１が収納された棚２１０Ａの棚番号（ＲＡＣＫＮｏ．）が例えば昇順に表示され、さらに棚番号の棚２１０Ａに収納されたＭＤのディスクタイトル(DISC)が対応づけて表示される。なお、ユーザが所望の棚番号を選択するためのカーソルＣＳも同時に表示される。
【００６７】
そして、ステップＳＴ６２で、並べ替えの項目キー（「disc」、「title」、「name」、「number」、「date」、「letter」のキー）の押し下げがあるか否かを判定し、ステップＳＴ６３で、カーソルキーの押し下げによるＭＤ１０１の選択変更操作があるか否かを判定し、ステップＳＴ６４で、「enter」キーの押し下げがあるか否かを判定し、ステップＳＴ６５で、「list」キーの押し下げがあるか否かを判定する。
【００６８】
「list」キーの押し下げがあるときは、直ちに処理を終了する。項目キーの押し下げがあるときは、ステップＳＴ６６に進み、ハードディスクに記憶された情報を参照し、リモコン装置３００の表示部３０２に、選択された並べ替えの項目に応じた一覧表示をする。さらに、カーソルキーの押し下げによる選択変更操作があるときは、ステップＳＴ６７で、選択位置を変更する。この場合、一覧表示内のカーソル位置が変更されることとなる。
【００６９】
図１６Ａは、並べ替え項目が「disc」であった場合における一覧表示例を示している。この場合、ディスクタイトルがアイウエオ順やＡＢＣ順に表示され、そのディスクタイトルを持つＭＤ１０１が収納された棚２１０Ａの棚番号（ＲＡＣＫ  Ｎｏ．）が対応づけて表示される。なお、ユーザが所望のディスクタイトルを選択するためのカーソルＣＳも同時に表示される。
【００７０】
図１６Ｂは、並べ替え項目が「title」であった場合における一覧表示例を示している。この場合、曲名(TITLE)がアイウエオ順やＡＢＣ順に表示され、その曲名を持つＭＤ１０１が収納された棚２１０Ａの棚番号(RACK No.)と、その曲名を持つＭＤ１０１のディスクタイトルとが対応づけて表示される。なお、ユーザが所望の曲名を選択するためのカーソルＣＳも同時に表示される。
【００７１】
図１６Ｃは、並べ換え項目が「name」であった場合における一覧表示例を示している。この場合、アーティスト名(NAME)がアイウエオ順やＡＢＣ順に表示され、そのアーティスト名を持つＭＤ１０１が収納された棚２１０Ａの棚番号と、そのアーティスト名を持つＭＤ１０１のディスクタイトルとが対応づけて表示される。なお、ユーザが所望のアーティスト名を選択するためのカーソルＣＳも同時に表示される。
【００７２】
図１６Ｅは、並べ替え項目が「date」であった場合における一覧表示例を示している。この場合、録音日時(DATE)が例えば昇順に表示され、その録音日時を持つＭＤ１０１が収納された棚２１０Ａの棚番号と、その録音日時を持つＭＤ１０１のディスクタイトルとが対応づけて表示される。なお、ユーザが所望の録音日時を選択するためのカーソルＣＳも同時に表示される。
【００７３】
図１６Ｆは、並べ替え項目が「letter」であった場合における一覧表示例を示している。この場合、例えば日本語版、英語版の順に表示され、その版のＭＤ１０１が収納された棚２１０Ａの棚番号と、その版のＭＤ１０１のディスクタイトルとが対応づけて表示される。なお、ユーザが所望のＭＤ１０１を選択するためのカーソルＣＳも同時に表示される。
【００７４】
一方、ステップＳＴ６４で「enter」キーの押し下げがあったときは、カーソル位置に対応したＭＤ１０１が選択された状態となり、ステップＳＴ６８に進む。このステップＳＴ６８では、リモコン装置３００の表示部３０２に、図１２に示すように、選択されたＭＤ１０１の情報を表示する。この場合、シスコン１０２よりリモコン装置３００に表示情報を赤外線信号で送信し、選択されたＭＤ１０１の情報として、棚番号、ディスクタイトル、アーティスト名、曲名などが表示される。
【００７５】
そして、ステップＳＴ６９で、「back」キーの押し下げがあるか否かを判定し、ステップＳＴ７０で、「title」キーの押し下げがあるか否かを判定し、ステップＳＴ７１で、「play」キーの押し下げがあるか否かを判定し、ステップＳＴ７２で、「list」キーの押し下げがあるか否かを判定する。
【００７６】
「back」キーの押し下げがあるときは、ステップＳＴ６２に戻る。つまり、ユーザは、「back」キーを押し下げることで、並び替え項目を選択し、その項目に応じて表示される一覧表示より所望のＭＤ１０１を選択し得る状態に戻すことができる。「list」キーの押し下げがあるときは、直ちに処理を終了する。「play」キーの押し下げがあるときは、ステップＳＴ７３に進んで、上述したように選択されたＭＤ１０１を１曲目から再生する。この場合、選択されたＭＤ１０１が収納部２１０の所定の棚２１０Ａに収納されているときは、このＭＤ１０１をキャリッジ２２０によってドライブ部１００に移動した後に、再生が行われることとなる。
【００７７】
また、「title」キーの押し下げがあるときは、ステップＳＴ７４に進む。このステップＳＴ７４では、リモコン装置３００の表示部３０２に、図１３に示すように、上述したように選択されたＭＤ１０１に含まれる曲名のリストを表示する。この場合、ユーザが所望の曲名を選択するためのカーソルＣＳも同時に表示される。
【００７８】
そして、ステップＳＴ７５で、カーソルキーの押し下げによる選択変更操作があるか否かを判定し、ステップＳＴ７６で、「play」キーの押し下げがあるか否かを判定し、ステップＳＴ７７で、「list」キーの押し下げがあるか否かを判定する。カーソルキーの押し下げによる選択変更操作があるときは、ステップＳＴ７８で、選択位置を変更する。「list」キーの押し下げがあるときは、直ちに処理を終了する。一方、「play」キーの押し下げがあるときは、ステップＳＴ７９に進んで、上述したように選択されたＭＤ１０１に含まれ、カーソル位置に対応した曲（選択曲）を再生する。この場合、選択されたＭＤ１０１が収納部２１０の所定の棚２１０Ａに収納されているときは、このＭＤ１０１をキャリッジ２２０によってドライブ部１００に移動した後に、再生が行われることとなる。
【００７９】
次に、イジェクト時の動作を説明する。シスコン１０２は、「eject」キーの押し下げがあると、図１７、図１８のフローチャートに示す処理を開始する。
【００８０】
ステップＳＴ８１で、ドライブ部１００にＭＤ１０１があるか否かを判定する。ドライブ部１００にＭＤ１０１がないときは、ステップＳＴ８２に進む。このステップＳＴ８２では、図１９に示すように、リモコン装置３００の表示部３０２に、ＭＤ１０１が収納されている棚２１０Ａのリストを表示する。この場合、ＭＤ１０１が収納された棚２１０Ａの棚番号（ＲＡＣＫ  Ｎｏ．）が例えば昇順に表示され、さらに棚番号の棚２１０Ａに収納されたＭＤのディスクタイトルが対応づけて表示される。なお、ユーザが所望の棚番号を選択するためのカーソルＣＳも同時に表示される。
【００８１】
そして、ステップＳＴ８３で、カーソルキーの押し下げによる選択変更操作があるか否かを判定し、ステップＳＴ８４で、「enter」キーの押し下げがあるか否かを判定し、ステップＳＴ８５で、「eject」キーの押し下げがあるか否かを判定する。
【００８２】
「eject」キーの押し下げがあるときは、直ちに処理を終了する。カーソルキーの押し下げによる選択変更操作があるときは、ステップＳＴ８６で、選択位置を変更する。一方、「enter」キーの押し下げがあるときは、カーソル位置に対応した棚番号の棚２１０Ａに収納されているＭＤ１０１が選択された状態となり、ステップＳＴ８７に進む。このステップＳＴ８７では、選択されたＭＤ１０１をドライブ部１００に移動する。この場合、選択されたＭＤ１０１は、キャリッジ２２０により、収納部２１０よりドライブ部１００に移動される。
【００８３】
そして、ステップＳＴ８８で、ＭＤ１０１を、ＭＤ挿入口２２（図２Ａ参照）より外部に排出し、その後にステップＳＴ８９で、ハードディスクより、排出されたＭＤ１０１に関する情報を削除して、処理を終了する。このように、ハードディスク内の情報を削除することで、排出されたＭＤ１０１が収納されていた棚２１０Ａに、新たにＭＤ１０１の収納が可能となる。
【００８４】
また、ステップＳＴ８１でドライブ部１００にＭＤ１０１があるときは、ステップＳＴ９１に進む。このステップＳＴ９１では、リモコン装置３００の表示部３０２に、図２０に示すように、ドライブ部１００にあるＭＤ１０１に関する情報を表示する。この場合、シスコン１０２よりリモコン装置３００に表示情報が赤外線信号で送信され、ＭＤ１０１に関する情報として棚番号、ディスクタイトル、アーティスト名、曲名などが表示され、同時に排出するＭＤ１０１として他のＭＤ１０１を選択するためのカーソルＣＳも表示される。
【００８５】
そして、ステップＳＴ９２で、他のＭＤ１０１の選択状態にあるか否かを判定し、ステップＳＴ９３で、「enter」キーの押し下げがあるか否かを判定し、ステップＳＴ９４で、「eject」キーの押し下げがあるか否かを判定する。図２０の表示で、カーソルＣＳが「ＹＥＳ」の位置にあるときは、他のＭＤ１０１の選択状態にあると判定する。
【００８６】
他のＭＤ１０１の選択状態になく、「eject」キーの押し下げがあるときは、直ちに処理を終了する。また、他のＭＤ１０１の選択状態になく、「enter」キーの押し下げがあるときは、ステップＳＴ８８で、ＭＤ挿入口２２よりドライブ部１００にあったＭＤ１０１を排出し、さらにステップＳＴ８９で、ハードディスク内よりその排出されたＭＤ１０１に関する情報を削除し、その後に処理を終了する。
【００８７】
ステップＳＴ９２で他のＭＤ１０１の選択状態にあるときは、ステップＳＴ９５で、「enter」キーの押し下げがあるか否かを判定し、ステップＳＴ９６で、「eject」キーの押し下げがあるか否かを判定する。「eject」キーの押し下げがあるときは、直ちに処理を終了する。一方、「enter」キーの押し下げがあるときは、ステップＳＴ９７に進む。
【００８８】
このステップＳＴ９７では、リモコン装置３００の表示部３０２に、図１９に示すように、ＭＤ１０１が収納されている棚２１０Ａのリストを表示する。そして、ステップＳＴ９８で、カーソルキーの押し下げによる選択変更操作があるか否かを判定し、ステップＳＴ９９で、「enter」キーの押し下げがあるか否かを判定し、ステップＳＴ１００で、「eject」キーの押し下げがあるか否かを判定する。
【００８９】
「eject」キーの押し下げがあるときは、直ちに処理を終了する。カーソルキーの押し下げによる選択変更操作があるときは、ステップＳＴ１０１で、選択位置を変更する。一方、「enter」キーの押し下げがあるときは、カーソル位置に対応した棚番号の棚２１０Ａに収納されているＭＤ１０１が選択された状態となり、ステップＳＴ１０２に進む。
【００９０】
このステップＳＴ１０２では、ドライブ部１００にあるＭＤ１０１を収納部２１０の対応する棚２１０Ａに移動する。そして、ステップＳＴ１０３で、選択されたＭＤ１０１を収納部２１０よりドライブ部１００に移動する。これらのＭＤ１０１の移動は、キャリッジ２２０を使用して行われる。そして、ステップＳＴ８８で、ドライブ部１００に移動したＭＤ１０１を、ＭＤ挿入口２２（図２Ａ参照）より外部に排出し、その後にステップＳＴ８９で、ハードディスクより、排出されたＭＤ１０１に関する情報を削除して、処理を終了する。
【００９１】
次に、ＭＤ挿入口２２Ａより挿入されてドライブ部１００Ａに装着されたＭＤ１０１（図１には図示せず）より再生された記録内容を、ドライブ部１００に装着されたＭＤ１０１に記録する、ダビング時の動作を説明する。シスコン１０２は、ユーザのリモコン装置３００の操作部３０３の操作により、ドライブ部１００Ａに装着されたＭＤ１０１に記録されている曲の一部または全曲がダビングすべき曲として選択された後、その操作部３０３の「dubbing」キーの押し下げがあると、図２１および図２２のフローチャートに示す処理を開始する。
【００９２】
なおこの場合、ドライブ部１００には録再用のＭＤ１０１（スレーブＭＤ）が装着されるが、その装着時にそのＵＴＯＣ領域に記録されている記録内容に関連した情報（ディスク内情報）が自動的に読みとられ、シスコン１０２の内蔵ＲＡＭ１０２ａに一時的に記憶される。同様に、ドライブ部１００Ａには再生専用または録再用のＭＤ１０１（マスターＭＤ）が装着されるが、装着時にそのＴＯＣ領域またはＵＴＯＣ領域に記録されている、記録内容に関連した情報（ディスク内情報）が自動的に読みとられ、ドライブ部１００のシスコン１０２の内蔵ＲＡＭ１０２ａに一時的に記憶される。
【００９３】
ステップＳＴ１１１で、Ｎ＝１に設定する。そして、ステップＳＴ１１２で、Ｎ曲目のダビングを開始する。最初は、Ｎ＝１であるので、１曲目のダビングを開始する。この場合、ドライブ部１００ＡでマスターＭＤよりダビングすべきＮ曲目の曲が再生され、再生された記録内容（ディジタルオーディオデータ）がドライブ部１００の音声圧縮エンコーダ／デコーダ１２３に供給され、スレーブＭＤの所定のアドレスより記録される。
【００９４】
次に、ステップＳＴ１１３で、リモコン装置３００の表示部３０２にダビング中（記録中）である旨、およびダビング中の記録内容に関連した情報、例えばアルバムタイトルおよびアーティスト名、曲名等）を表示する。この場合、シスコン１０２は、リモコン装置３００に表示情報を赤外線信号で送信する。
【００９５】
そして、ステップＳＴ１１４で、Ｎ曲目のダビングが終了したか否かを判定する。Ｎ曲目のダビングが終了したときは、ステップＳＴ１１５で、ＮがＮmaxであるか否かを判定する。ここで、Ｎmaxは、ダビングすべき曲の総数である。Ｎ＝Ｎmaxでないときは、ステップＳＴ１１６で、Ｎをインクリメントして、ステップＳＴ１１２に戻り、次の曲のダビングを開始する。
【００９６】
ステップＳＴ１１５でＮ＝Ｎmaxであるときは、ダビングすべき曲の全てのダビングが終了したことを意味し、ステップＳＴ１１７に進む。このステップＳＴ１１７では、スレーブＭＤのＵＴＯＣ領域に、上述したように記録された記録内容に関連した情報、すなわちアルバムタイトルおよびアーティスト名、曲名、各曲の開始・終了のアドレス等を記録する。
【００９７】
ここで、スレーブＭＤに既に他のアルバムタイトルおよびアーティスト名に係る曲が記録されている場合、上述したダビング時にはマスターＭＤより再生された曲が追加して記録される。この場合、マスターＭＤのアルバムタイトルおよびアーティスト名は、例えば曲名データ領域に曲名と同時に記録される。その際には、例えばアルバムタイトルおよびアーティスト名と曲名との間にスラッシュが配置される等して、アルバムタイトルおよびアーティスト名と曲名とが区別可能とされる。なおこの場合、マスターＭＤのアルバムタイトルおよびアーティスト名は、例えばディスク情報領域に、既に記録されている上記他のアルバムタイトルおよびアーティスト名に追加して記録されるようにしてもよい。
【００９８】
次に、ステップＳＴ１１８で、リモコン装置３００の表示部３０２に、ダビングの終了を表示する。この場合、シスコン１０２は、リモコン装置３００に表示情報を赤外線信号で送信する。そして、ステップＳＴ１１９で、「store」キーの押し下げがあるか否かを判定し、さらにステップＳＴ１２０で、「eject」キーの押し下げがあるか否かを判定する。
【００９９】
「eject」キーの押し下げがあるときは、ステップＳＴ１２１に進んで、上述したようにドライブ部１００に装着されているスレーブＭＤを、ＭＤ挿入口２２より外部に排出し、ステップＳＴ１２２で、ハードディスクドライブ１３１のハードディスクより、排出されたスレーブＭＤに関する情報を削除して、ステップＳＴ１２３に進む。ステップＳＴ１２３では、ドライブ部１００Ａに装着されているマスターＭＤを、ＭＤ挿入口２２Ａより外部に排出し、処理を終了する。
【０１００】
なお、ステップＳＴ１２２の処理は、スレーブＭＤが、収納部２１０の所定の棚２１０Ａに収納されていた場合のみ実行される。このようにハードディスク内の情報を削除することで、排出されたスレーブＭＤが収納されていた棚２１０Ａに、新たにＭＤ１０１の収納が可能となる。
【０１０１】
また、ステップＳＴ１１９で、「store」キーの押し下げがあるときは、ステップＳＴ１２４で、ドライブ部１００に装着されているスレーブＭＤが、収納部２１０の所定の棚２１０Ａに収納されていたものであるか否かを判定する。スレーブＭＤが所定の棚２１０Ａに収納されていたものであるときは、ステップＳＴ１２５に進む。このステップＳＴ１２５では、収納されていた棚２１０Ａの棚番号に対応させてハードディスクに記憶されているディスク内情報を、スレーブＭＤのＵＴＯＣ領域に記録されている記録内容に関連した情報（ディスク内情報）に書き換える。
【０１０２】
次に、ステップＳＴ１２６で、ドライブ部１００に装着されているスレーブＭＤを、収納部２１０の元の棚２１０Ａに収納する。この場合、スレーブＭＤは、キャリッジ２２０により、ドライブ部１００から元の棚２１０Ａに移動されて収納される。そして、ステップＳＴ１２３で、ドライブ部１００Ａに装着されているマスターＭＤを、ＭＤ挿入口２２Ａより外部に排出し、処理を終了する。
【０１０３】
また、ステップＳＴ１２４で、スレーブＭＤが所定の棚２１０Ａに収納されていたものでないときは、ステップＳＴ１２７に進む。このステップＳＴ１２７では、収納する棚を指定するための画面をリモコン装置３００の表示部３０２に表示する。この場合、シスコン１０２はリモコン装置３００に表示情報を赤外線信号で送信し、例えば収納部２１０の空いている棚２１０Ａのうち番号が最も若い棚番号を表示する。
【０１０４】
そして、ステップＳＴ１２８で、カーソルキーの押し下げによる棚番号の変更操作があるか否かを判定し、ステップＳＴ１２９で、「enter」キーの押し下げがあるか否かを判定する。棚番号の変更操作があるときは、ステップＳＴ１３０に進んで、別の空いている棚２１０Ａの棚番号に変更する。このとき、リモコン装置３００の表示部３０２に表示される棚番号が変更される。なお、表示部３０２に収納部２１０の空いている棚２１０Ａの全ての番号を表示し、ユーザがカーソル位置を変更して任意の棚番号を選択し得るようにしてもよい。
【０１０５】
一方、「enter」キーの押し下げがあるときは、ステップＳＴ１３１で、スレーブＭＤのＵＴＯＣ領域に記録されている記録内容に関連した情報（ディスク内情報）を、「enter」キーの押し下げ時に表示部３０２に表示されていた棚番号（以下、「指定棚番号」という）と対応させてハードディスクに記憶する。そして、ステップＳＴ１３２で、ドライブ部１００に装着されているスレーブＭＤを、収納部２１０の指定棚番号の棚２１０Ａに収納する。この場合、スレーブＭＤは、キャリッジ２２０により、ドライブ部１００から指定棚番号の棚２１０Ａに移動されて収納される。そして、ステップＳＴ１２３で、ドライブ部１００Ａに装着されているマスターＭＤを、ＭＤ挿入口２２Ａより外部に排出し、処理を終了する。
【０１０６】
以上説明したように、本実施の形態においては、マスターＭＤより再生される記録内容を、スレーブＭＤに記録するダビング時に、スレーブＭＤのＵＴＯＣ領域に、その記録内容に関連した情報、例えばアルバムタイトルおよびアーティスト名、曲名、各曲の開始・終了のアドレス等が、自動的に記録される。したがって、ユーザは、ダビング時に曲名等を入力する操作が不要となり、使い勝手が向上する。
【０１０７】
また、ダビング終了後に、スレーブＭＤが収納部２１０の所定の棚２１０Ａに収納されるとき、スレーブＭＤのＵＴＯＣ領域に記録されている記録内容に関連した情報（ディスク内情報）が、当該所定の棚２１０Ａの棚番号と対応されて、ハードディスクに記憶される。そのため、このハードディスクの記憶内容を使用することで、ダビング後のＭＤ１０１の検索が容易となる。また、ダビング後のＭＤ１０１の収納時に、例えばＭＤジャケットをジャケット収納帳に収納する等の作業の必要がなく、収納作業が容易となる。
【０１０８】
なお、上述実施の形態においては、ＭＤチェンジャー装置１０内にマスターＭＤの記録内容を再生するドライブ部１００Ａが備えられているものを示したが、このドライブ部１００ＡがＭＤチェンジャー装置１０に外部接続されるものであってもよい。
【０１０９】
また、上述実施の形態においては、収納部２１０の棚２１０Ａの番号と当該棚２１０Ａに収納されるＭＤ１０１に記録されている記録内容に関連した情報とをハードディスクに記憶するようにしたものであるが、これに限定されるものでなく、その他の記憶媒体に記憶するようにしてもよい。
【０１１０】
また、上述実施の形態においては、記録媒体がＭＤ１０１であるＭＤチェンジャー装置１０にこの発明を適用したものであるが、この発明は記録内容に関連した情報が記録されている他の記録媒体を取り扱うチェンジャー装置にも同様に適用することができる。
【０１１１】
【発明の効果】
この発明は、第２の記録媒体より再生された記録内容が記録された第１の記録媒体を収納部の所定の棚に収納する際に、この所定の棚の棚番号と第１の記録媒体の記録内容に関連した情報とを対応させて記憶媒体に自動的に記憶するものである。したがって、この発明によれば、収納部に収納されたダビング後の記憶媒体の検索を容易に行うことができると共に、ダビング後の記録媒体の収納時にジャケットをジャケット収納帳に収納する作業の必要がなく、記録媒体の収納作業が容易となる。また、この発明は、第１の記録媒体に第２の記録媒体より再生された記録内容を記録する際に、第１の記録媒体にその記録内容に関連した情報を自動的に記録するものである。したがって、この発明によれば、ダビング時に記録内容に関連した情報の記録操作、例えば曲名の入力操作等が不要となり、ユーザの使い勝手が向上する。
【図面の簡単な説明】
【図１】実施の形態としてのＭＤチェンジャー装置の構成を示すブロック図である。
【図２】ＭＤチェンジャー装置の外観（正面図、平面図）を示す図である。
【図３】ＭＤチェンジャー装置の外観（背面図、左側面図）を示す図である。
【図４】ＭＤチェンジャー装置の外観（一部拡大図）を示す図である。
【図５】リモコン装置の外観（正面図、右側面図など）を示す図である。
【図６】ローディング時の処理を示すフローチャートである。
【図７】ハードディスクの記憶例を示す図である。
【図８】検索時の処理を示すフローチャート（１／３）である。
【図９】検索時の処理を示すフローチャート（２／３）である。
【図１０】検索時の処理を示すフローチャート（３／３）である。
【図１１】検索の結果リストの表示例を示す図である。
【図１２】選択されたＭＤの情報表示例を示す図である。
【図１３】曲名リストの表示例を示す図である。
【図１４】一覧表示時の処理を示すフローチャート（１／２）である。
【図１５】一覧表示時の処理を示すフローチャート（２／２）である。
【図１６】一覧表示の表示例を示す図である。
【図１７】イジェクト時の処理を示すフローチャート（１／２）である。
【図１８】イジェクト時の処理を示すフローチャート（２／２）である。
【図１９】ＭＤ収納中の棚の表示例を示す図である。
【図２０】ドライブ部にあるＭＤの情報表示例を示す図である。
【図２１】ダビング時の処理を示すフローチャート（１／２）である。
【図２２】ダビング時の処理を示すフローチャート（２／２）である。
【符号の説明】
１０  ＭＤチェンジャー装置
２０  本体部分
３０  基底部分
４０Ｌ，４０Ｒ，５０  スピーカ配置部分
１００，１００Ａ  ドライブ部
１０１  ＭＤ
１０２  システムコントローラ
１０４  赤外線信号送受信部
１０６  磁気ヘッド
１０８  光ピックアップ
１１１  ＲＦアンプ部
１１２  サーボ回路
１２３  音声圧縮エンコーダ／デコーダ
１２４  耐振用メモリコントローラ
１２５  ＤＲＡＭ
１２６  ＥＦＭとＡＣＩＲＣのエンコーダ／デコーダ
１３１  ハードディスクドライブ
１３２  ハードディスクコントローラ
２００  チェンジャー部
２１０  収納部
２１０Ａ  棚
２２０  キャリッジ
３００  リモコン装置
３０１  赤外線信号送受信部
３０２  表示部
３０３  操作部
【図１】
0003870641.tif 000002
【図２】
0003870641.tif 000003
【図３】
0003870641.tif 000004
【図４】
0003870641.tif 000005
【図５】
0003870641.tif 000006
【図６】
0003870641.tif 000007
【図７】
0003870641.tif 000008
【図８】
0003870641.tif 000009
【図９】
0003870641.tif 000010
【図１０】
0003870641.tif 000011
【図１１】
0003870641.tif 000012
【図１２】
0003870641.tif 000013
【図１３】
0003870641.tif 000014
【図１４】
0003870641.tif 000015
【図１５】
0003870641.tif 000016
【図１６】
0003870641.tif 000017
【図１７】
0003870641.tif 000018
【図１８】
0003870641.tif 000019
【図１９】
0003870641.tif 000020
【図２０】
0003870641.tif 000021
【図２１】
0003870641.tif 000022
【図２２】
0003870641.tif 000023